(57)【特許請求の範囲】
【請求項１】
流体リザーバ（２６）を収納するように構成されたキャビティ（２４）を画定するハンドル（２０）と、
前記ハンドルに取り付けられた流体分配カートリッジ（５０）と、
前記ハンドルに枢動可能に連結され、実装位置と取り外し位置とを有する前記流体リザーバに取り外し可能に係合する流体コネクタ（１００）と、を備え、
前記流体リザーバは、前記実装位置では前記キャビティの内側に位置し、前記取り外し位置では前記キャビティの外側に枢動し、前記流体リザーバは、前記実装位置においても前記取り外し位置においても前記流体コネクタと流体接続し、
前記流体コネクタが、前記ハンドルの対応する合わせ面（２００、２０２）と摺動可能に係合する合わせ面（１２０、１２２）を有して、前記ハンドルに関する前記流体コネクタの枢動を容易にする前記流体コネクタの枢動軸を画定する、流体分配かみそり（１０）。
【請求項２】
前記実装位置において、前記ハンドルに取り付けられて固定されたカバー（２２）を更に備え、
前記カバーが、前記流体リザーバを前記ハンドル内に隠している、請求項１に記載の流体分配かみそり。
【請求項３】
前記流体コネクタの前記合わせ面が、一対の離間したピン（１２４、１２６）を備える、請求項１又は２に記載の流体分配かみそり。
【請求項４】
流体コネクタは、前記流体コネクタの枢動軸に対してオフセットして横切る中心軸を有するバレル（１１０）を備える、請求項３に記載の流体分配かみそり。
【請求項５】
前記バレルが、前記流体リザーバの対応するアンダーカットに係合するアンダーカット（１１６）を有する、請求項４に記載の流体分配かみそり。
【請求項６】
前記流体コネクタが傾斜した先端（１０６）を有する、請求項１〜５のいずれか一項に記載の流体分配かみそり。
【請求項７】
前記傾斜した先端が、流体接続を確立するために前記流体リザーバのシール（２８）に穴を開ける、請求項６に記載の流体分配かみそり。
【請求項８】
前記取り外し位置における前記流体リザーバが、前記実装位置における前記流体リザーバに対して１０度〜６０度の角度で傾いている、請求項１〜７のいずれか一項に記載の流体分配かみそり。
【請求項９】
前記流体コネクタが、前記流体リザーバから流体を送液する弾性エラストマーチューブ（６２）の一端に位置している、請求項１〜８のいずれか一項に記載の流体分配かみそり。
【請求項１０】
前記弾性エラストマーチューブを圧縮して前記弾性エラストマーチューブを屈曲させ、前記流体コネクタを前記ハンドル内で枢動させるアクチュエータ（１２）を更に備える、請求項９に記載の流体分配かみそり。
【請求項１１】
前記弾性エラストマーチューブがシリコーンを含む、請求項９又は１０に記載の流体分配かみそり。
【請求項１２】
前記流体コネクタが前記弾性エラストマーチューブに挿入されるプラグ（７４）を備える、請求項９〜１１のいずれか一項に記載の流体分配かみそり。
【請求項１３】
前記プラグ内に、前記流体分配カートリッジから前記流体リザーバに流体が流れることを防止するシール（７２）を更に備える、請求項１２に記載の流体分配かみそり。
【請求項１４】
前記シールがスリットを有する、請求項１３に記載の流体分配かみそり。
【発明の詳細な説明】
【技術分野】
【０００１】
本発明は概してパーソナルケア器具に関し、より具体的には枢動する流体コネクタを有する流体分配シェービングかみそりに関する。
【背景技術】
【０００２】
男性と女性の見映えを改良し、又は高めるにあたり、スキンケアは特に重要となることがある。皮膚のケアのために多くの製品や方法を使うことができる。健康的な皮膚を保つために、例えば、エクスフォリエントスクラブ（exfoliant scrub）、クリーナ、及びローションが時々使用される。エクスフォリエントスクラブは、皮膚の表面から死滅した皮膚細胞を取り除くために使うことができ、これによって皮膚の色合いの改善ができる。石鹸やその他のクリーナは、皮膚から汚れや余分の油分を除去するために使うことができ、毛穴の閉塞の防止に役立つことができる。したがって場合によっては、にきびやその他のタイプの吹出物の防止も可能となる。皮膚の見映え及び／又は健康を改善するための試みとして、ローションや多くの話題の軟膏類もまた皮膚に栄養物及び／又はモイスチャライザを届けるために使用することができる。皺やその他の老化の兆候を除去するための試みとして、その他のタイプのコスメティック製品（例えば、クリームやローション）又は活性化薬剤が時々使われる。
【０００３】
多くの流体分配パーソナルケア器具が、ローションやその他の化粧クリームを体に（例えば、皮膚や毛髪に）供給するために開発されてきた。典型的には、流体分配パーソナルケア器具は、ポンプと分配される流体の容器とを収容するハンドルを含む。概して流体容器がパーソナルケア器具内のスペースの大半を占める。ハンドル内部は消費者が容器の実装と取り外しを行うための十分なスペースを必要とするので、より大きく、よりかさばったデザインになってしまう。更に、容器の実装と取り外しは消費者にとって難しく、直観的には理解できないことがある。開発されてきたポンプアセンブリも複雑で大サイズであり、ハンドル内に組込むことができる流体容器のサイズを制限してしまう。
【０００４】
過去に、多くの湿式剃毛製品構成がみられたが、この構成は、剃毛中に、例えば、中空かみそりハンドル形式のかみそり構造に組み込まれたリザーバ、又は更にはかみそりハンドルとして機能できるエアロゾル缶から、かみそりのヘッド近傍の分配場所まで供給される潤滑液のような剃毛調整品を運ぶシステムを含む。より最近の多くの湿式剃毛かみそりは、ハンドル構造体に対して、具体的には枢動可能であるように、可動式に取り付けられたカートリッジを有するが、その場合、カートリッジは、永久的に取り付けられているか、あるいはブレードの切れが鈍くなったときに捨てられるように意図された使い捨て安全かみそりの場合、再利用可能なハンドル構造体上でブレードユニットを交換可能にするため取り外し可能に取り付けられている。皮膚表面に流体を運ぶことができるこのタイプのかみそりの多くは、残念ながら多数の問題に悩まされている。例えば、かみそりの内部機構は複雑であり、大量生産の観点からは極めて高価となる傾向がある。それに加えて、リザーバ内部において、残留流体の一部の空気への絶え間ない露出による微生物の増加に起因して常に影響を受ける安全上と機能上の問題がある。このような空気への流体の露出は、かみそり内部機構の流体による閉塞につながることが多く、これによってシェービング製品の機能不全が起こる。
【発明の概要】
【発明が解決しようとする課題】
【０００５】
剃毛工程は皮膚にある種の刺激や不快感を引き起こすものとして知られている。したがって、鎮静や加湿などが皮膚に対して望まれる利点になり得る。鎮静や加湿は、典型的には、シェービングかみそりそのものからは得られず、シェービングの後及び皮膚からシェービングジェルを除去した後に、皮膚に塗布されるローション又はクリームによって得られるものである。剃毛工程が湿式であるか乾式であるかにかかわらず、剃毛工程に添えるものとして、又は工程を容易にするものとして、ある種のパーソナルケア組成物の提供が絶えず求められている。典型的には、パーソナルケア組成物は別のパッケージとして販売されている。
【課題を解決するための手段】
【０００６】
１つの態様では、本発明は概して流体リザーバを収納するように構成されたキャビティを画定するハンドルを持つ流体分配かみそりを特徴とする。流体分配カートリッジがハンドルに取り付けられている。流体コネクタがハンドルに枢動可能に連結されている。流体コネクタは中立位置と偏移実装位置とを有する。流体コネクタは、偏移実装位置では中立位置における流体コネクタに対して約１０度〜約６０度の角度で傾いている。
【０００７】
別の態様では、本発明は概して流体リザーバを収納するように構成されたキャビティを画定するハンドルを持つ流体分配かみそりを特徴とする。流体分配カートリッジがハンドルに取り付けられている。流体コネクタが枢動可能にハンドルに連結され、流体リザーバに取り外し可能に係合している。流体リザーバは、実装位置と取り外し位置とを有する。流体リザーバは、実装位置ではキャビティの内側に位置し、取り外し位置ではキャビティの外側へ枢動する。流体リザーバは、実装位置においても、取り外し位置においても流体コネクタと流体接続している。
【０００８】
別の態様では、本発明は概して流体分配かみそりのための流体リザーバの実装方法を特徴とする。シールされた流体リザーバが提供される。流体リザーバを収納するように構成されたキャビティを画定するハンドルが提供される。ハンドルは流体コネクタを有する。流体コネクタは中立位置から、中立位置にある流体コネクタに対して約１０度〜約６０度傾いた偏移実装位置に枢動する。流体リザーバは、流体コネクタによって穴が開けられる。流体リザーバは、流体コネクタと係合する。
【０００９】
本発明の１つ以上の実施形態の詳細を添付図面及び以下の説明に示す。特定の実施形態では、一般的に開示されているが、特に断らない限り組み合わせとして例示されていない、又は請求されていない本発明の要素や部材を組み合わせることが可能であると理解される。本発明の他の特徴及び利点は、説明及び図面、並びに特許請求の範囲から明らかになる。
【図面の簡単な説明】
【００１０】
【図１Ａ】パーソナルケア器具の１つの可能な実施形態の正面図である。
【図１Ｂ】パーソナルケア器具の図１Ａの概して線１Ｂ−１Ｂに沿った断面図である。
【図２】図１Ａのパーソナルケア器具の分解側面図である。
【図３Ａ】２Ａのパーソナルケア器具の第１の位置における拡大側面図である。
【図３Ｂ】２Ａのパーソナルケア器具の第２の位置における拡大側面図である。
【図３Ｃ】２Ａのパーソナルケア器具の第３の位置における拡大側面図である。
【図４Ａ】図１Ａのパーソナルケア器具に組込むことができるポンプアセンブリの正面図である。
【図４Ｂ】図４Ａの概して線４Ｂ−４Ｂに沿ったポンプアセンブリの断面図である。
【図５】図４Ａのポンプアセンブリに組込むことができる流体コネクタの斜視図である。
【図６Ａ】パーソナルケア器具のハンドルとポンプの拡大分解図である。
【図６Ｂ】パーソナルケア器具の拡大図である。
【発明を実施するための形態】
【００１１】
本発明は湿式シェービングかみそりに限定されるものではなく、更にかみそり一般に限定されるものでもない。本発明の特定の態様は、１つ以上の回転又は往復運動するブレードを有する乾式の電動シェービングかみそりにも、またその他のパーソナルケア器具（例えば、歯ブラシ、剃毛アプリケータ、脱毛器、又は他の美容アプリケータ）に使用できることが理解される。更に本発明の特定の態様は、独立して流体塗布に（例えば、皮膚や毛髪に）使えることが理解される。
【００１２】
図１Ａにはパーソナルケア器具１０の本発明における１つの可能な実施形態の正面図が示されている。例えば、パーソナルケア器具は流体分配かみそり（図示するように）、歯ブラシ、マスカラブラシ、又はその他の流体を分配するパーソナルケア器具の任意のものであってもよい。以下に詳細を説明するように、パーソナルケア器具１０は、ポンプと流体リザーバ（図示せず）を収納するように構成されたハンドル２０を含んでもよい。ハンドル２０は、ハンドル２０内においてポンプ及び／又は流体リザーバを保護及び／又は隠すカバー２２を有してもよい。流体分配カートリッジ５０は、ハンドル２０に（例えば、取り外し可能に）取り付けられてもよい。流体分配カートリッジ５０は、ハンドル２０との機械及び流体接続を作る流体コネクタ５２を一端に有してもよい。カートリッジハウジング５４（例えば、シェービングかみそりカートリッジ）は、取り外し可能な流体分配カートリッジ５０の他の一端に枢動可能に取り付けられてもよい。流体分配カートリッジ５０は、処理される表面（例えば、皮膚や毛髪）に流体を塗布して広げるアプリケータ５６を含んでもよい。特定の実施形態では、パーソナルケア器具１０は、パーソナルケア器具の最終的に要求される適用形態に応じて、取り外し不可能な流体分配カートリッジを含んでもよい。
【００１３】
図１Ｂには、パーソナルケア器具１０の図１Ａにおける概して線１Ｂ−１Ｂに沿った断面図を示す。流体（例えば、ローション又はジェル）を流体リザーバ２６に保持することができる。ハンドル２０は、流体リザーバ２６を収納するように構成されたキャビティ２４を画定することができる。図１Ｂには、キャビティ２４の内側の最終実装位置にあるリザーバ２６を持ち、ハンドル２０に取り付けられ固定されたカバー２２を持つパーソナルケア器具１０が示されている。特定の実施形態では、流体リザーバ２６は、積層剥離ボトル又は小袋状でもよい。別の実施形態では、流体リザーバ２６は、ブロー成形又は射出成形によるプラスチックボトルでもよい。流体コネクタ１００が、流体接続を確立させるために流体リザーバ２６に取り外し可能に係合してもよい。流体コネクタ１００の外面１０２は、流体リザーバ２６の内壁１０４に対して封止することができ、ハンドル２０内への流体の漏れを防ぐ。流体コネクタ１００は、流体リザーバ２６のシール２８に穴を開けてアプリケータ５６と流体リザーバ２６との流体接続を確立することができる。特定の実施形態では、シール２８に穿孔処理をすることで信頼性が高く、再現性のある流体接続を提供することができる。したがって、流体はポンプアセンブリ６０と流体接続している流体コネクタ１００の開口１０６の内側に向かう。ポンプアセンブリ６０は、流体を流体リザーバ２６から一対のバルブ７０と７２を通してアプリケータ５６に送液する細長い弾性チューブ６２を含んでもよい。流体リザーバ２６が最終実装位置にある時、流体コネクタ１００は第１の位置又は中立位置にあってもよく、そこでは流体リザーバ２６の長手方向の軸に概して平行な軸に沿って流体コネクタ１００が延びている。
【００１４】
パーソナルケア器具は、流体リザーバ２６からアプリケータ５６への流体の送液を容易にするため、アクチュエータ１２（例えば、ボタン）を有してもよい。アクチュエータ１２は、弾性エラストマーチューブ６２を圧縮してバルブ７０を開け、あらかじめ定めた量の流体をアプリケータ５６に放出することができる。アクチュエータ１２を解除して、弾性エラストマーチューブ６２を圧縮されていない元の状態に戻すことができる。第１のバルブ７０は閉じて汚染を防止することができ、第２のバルブ７２は開いて、アクチュエータ１２による次の放出のための流体を弾性エラストマーチューブ６２に満たすことができる。またアクチュエータ１２は、流体リザーバ２６の改善された実装と取り外しのために、流体コネクタ１００の枢動を容易にすることができる。例えば、アクチュエータ１２が弾性エラストマーチューブ６２を圧縮することで、弾性エラストマーチューブ６２は屈曲し、したがって流体コネクタはハンドル２０の内側で枢動することができる。
【００１５】
図２には未実装位置におけるパーソナルケア器具１０の分解側面が、ハンドル２０から取り外したカバー２２と流体リザーバ２６とともに示されている。カバー２２は、ハンドル２０にカバー２２を固定するための１つ以上の係合部材（例えば、タブ３０及び３２）を有してもよい。流体コネクタ１００は、キャビティ２４の内側に配置することができる。未実装位置では、流体コネクタ１００は中立位置にあってよい。特定の実施形態では、流体リザーバ２６の長さは、流体リザーバ２６のサイズの最大化を図るために、流体コネクタ１００とキャビティ２４の端面壁３４との距離以上としてもよい。したがって、流体コネクタ１００を動かさずに流体リザーバ２６をキャビティ２４へ実装したり及び／又はそこから取り外したりすることは難しくなり得る。中立位置では、流体コネクタ１００は概して軸「Ａ１」に沿って延びている。
【００１６】
図３Ａ、３Ｂ、及び３Ｃはパーソナルケア器具１０の拡大側面図であり、流体コネクタ１００と流体リザーバ２６のさまざまな位置を示している。例えば、図３Ａは、流体リザーバ２６が未実装位置にあり、流体コネクタ１００が偏移実装位置にあるパーソナルケア器具１０の拡大側面図を示す。流体コネクタ１００は、ハンドル２０に対して枢動してキャビティ２４の内側の流体リザーバ２６の実装を容易にすることができる。偏移実装位置において、流体コネクタ１００は、概して軸「Ａ２」に沿って延びることができる。軸Ａ１と軸Ａ２は平行でなくてもよく、例えば、流体コネクタはある角度で傾いてもよい。特定の実施形態では、流体コネクタ１００の軸Ａ２は、軸Ａ１に対して約１０度〜約６０度の所定の角度「α１」を有してもよい。偏移実装位置においては、図３Ｂに示すように、流体コネクタ１００は流体リザーバ２６と係合して流体接続を確立することができる。図３Ｂには、偏移実装位置にあって流体リザーバがキャビティ２４の外に位置する場合の流体コネクタ１００（及び流体リザーバ２６）を示している。流体コネクタ１００は、流体リザーバ２６に挿入されて流体リザーバ２６のシール（図示せず）に穴を開け、流体接続を確立することができる。流体リザーバ２６と流体コネクタ１００が係合した後（すなわち、実装位置）、流体リザーバ２６はキャビティ２６の内側の最終実装位置へ枢動することができる（図３Ｃに示すように）。カバー２２（図示せず）は、ハンドル２０に取り付けられて固定され、流体リザーバ２６を保護及び／又は隠す。流体コネクタ１００の枢動と、ハンドルのキャビティ２４外部での流体リザーバ２６の実装とによって、流体リザーバ２６の実装のためのアクセスの容易性が改善される。また流体コネクタ１００の枢動は、流体リザーバ２６の取り外しのための流体リザーバ１００への改善されたアクセスを提供する。例えば、流体リザーバ２６内の流体を使い切った後に、アクチュエータ１２を圧縮して流体コネクタ１００及び／又は流体容器を、キャビティ２４の内側の位置からキャビティ２４の外部の位置へ（例えば、取り外し位置へ）容易に枢動させることができる。取り外し位置は、図３Ｂに示す偏移実装位置と同一であってもよい。流体容器２６が取り外し位置にある際、消費者は流体リザーバ２６を容易に取り外すことができる。
【００１７】
図４Ａはポンプアセンブリ６０の底面図を示す。ポンプアセンブリ６０は、弾性エラストマーチューブ６２を含んでもよい。特定の実施形態では、弾性エラストマーチューブ６２の一端は、フランジ６６を有するカラー６４を備えることができる。カラー６４及び／又はフランジ６６は、第１のシール７０を収納する寸法からなる開口６８を画定することができる。カラー６４及び／又はフランジ６６は、ハンドル２０へのポンプアセンブリ６０の取り付けを容易にすることができる。流体コネクタ１００は、弾性エラストマーチューブ６２のカラー６４及び／又はフランジ６６の反対側の一端に位置してよい。流体コネクタ１００は、流体コネクタ１００の開口１０６を画定するバレル１１０を含んでよい。バレル１１０は、アンダーカット１１６（例えば、突出部又はくぼみ）を有してもよく、そのアンダーカットは流体リザーバ２６（図示せず）の対応するアンダーカット（例えば、突出部又はくぼみ）と係合する。バレル１１０と流体リザーバ２６とのアンダーカット１１６は、確実な機械接続と流体接続を提供することができる。更にアンダーカットの係合は、流体コネクタ１００が流体リザーバ２６に適切に接続されたことを合図する明確なフィードバック（例えば、音声フィードバック）を消費者に提供することができる。バレル１１０は、流体リザーバ２６（図示せず）のシールに穴を開けるために傾斜の付いた先端１０６を有することができる。バレル１１０は、流体コネクタ１００の枢動を容易にするための１つ以上の合わせ面１２０及び１２２（例えば、離間したピン１２４及び１２６）を有することができる。特定の実施形態では、バレル１１０のアンダーカット１１６は、シールに穴が開けられている間に又は穴が開けられた後に、流体リザーバ２６の対応するアンダーカットに係合し、消費者に流体リザーバ２６と流体コネクタ１００が流体接続されたことを知らせることができる。
【００１８】
図４Ｂは概して、図４Ａの線４Ｂ−４Ｂに沿ったポンプアセンブリ６０の断面図である。弾性エラストマーチューブ６２は、シリコーン又は熱可塑性エラストマー材料から成形又は押出しによって形成することができる。しかしながら、ショアＡ硬度（ＩＳＯ  ８６８）が約２０〜約９０の他の弾性材料も使うことができ、それらには、シリコーン、ラテックス、ポリ塩化ビニル（ＰＶＣ）、ゴム、ポリウレタン、又はそれらのあらゆる組み合わせが挙げられるが、これらに限定されない。弾性エラストマーチューブ６２は、引張り破断強度が約８ＭＰａ、９ＭＰａ、又は１０ＭＰａ〜約１２ＭＰａ、１３ＭＰａ、又は１４ＭＰａ（ＩＳＯ  ３７）の材料を含んでもよい。弾性エラストマーチューブ６２は、破断伸び率が約３００％ｍｍ２、４００％、又は５００％〜約６００％ｍｍ２、７００％、又は８００％（ＩＳＯ  ３７）の材料を含んでもよい。弾性エラストマーチューブ６２は、効果的な圧縮のための十分な柔軟性を提供するために、公称壁厚を約０．５ｍｍ、０．７５ｍｍ、又は１ｍｍ〜約１．２５ｍｍ、１．５ｍｍ、又は２ｍｍとしてよいが、繰返し圧縮された後で弾性エラストマーチューブ６２が元の位置に戻らないほど柔軟過ぎてはならない。また弾性エラストマーチューブ６２の弾性特性は、流体コネクタ１００の枢動を容易にすることができる。
【００１９】
特定の実施形態では、シール７０及び７２は、弾性エラストマーチューブ６２と同じ材料から成形されてもよい。例えば、第１又は第２のシール７０、７２は弾性エラストマーチューブ６２の一部として成形されてもよい。例えば、カラー６４は、弾性エラストマーチューブ６２の一部として成形（例えば、供射出成形又はインサート成形）することができ、シール７０はカラー６４の内部に成形することができる。カラー６４は、ハンドル２０内側での改善された係合を提供するために、弾性エラストマーチューブ６２より硬い材料から成形されてもよい。カラー６４は、弾性エラストマーチューブ６２に連結されてもよい（例えば、圧入、インサート成形又は供射出成形）。成形を終えてから、弾性エラストマーチューブ６２との流体接続を形成するために第１のシール７０を切り開いてもよい。第２のシール７２も、弾性エラストマーチューブ６２と同じ材料（例えば、シリコーン）から成形してもよい。第２のシール７２は、弾性エラストマーチューブ６２と別に成形してもよい。例えば、第２のシール７２は、成形しても、及び／又は弾性エラストマーチューブ６２に挿入できるプラグ７４に連結してもよい。第２のシール７２はプラグ７４に対して、供射出成形しても、インサート成形しても、又は圧入してもよい。プラグ７４が、弾性エラストマーチューブ６２に挿入される前か後に、流路を提供するために第２のシール７２を切り開いてもよい。プラグ７４は、流体コネクタ１００に取り付けられていてもよく、プラグ７４は流体コネクタ１００の一部を備えてもよい。
【００２０】
シール７０及び７２は、流体リザーバ２６の汚染を防止するために一方向バルブとしてもよい。使用することができる一方向バルブの例には、ボールチェッキバルブ、スイングチェッキバルブ又は傾斜ディスクチェッキバルブ、ストップチェッキバルブ、リフトチェッキバルブ、及びダックビルバルブが挙げられるが、これらに限定されない。バルブ７０及び７２を弾性エラストマーチューブ６０の内側に配置することによって、スペースを節減することができ、またシール７０及び７２の所定位置からのずれと漏れの防止を支援できる。
【００２１】
図５に流体コネクタ１００の斜視図を示す。バレル１１０によって画定される開口１０６は、バレル１１０を貫通して延びて流路を提供することができる。流体コネクタ１００は、離間するピン１２４及び１２６の中心を通して延びる枢動軸「Ｐ１」を画定することができる。開口１０６及び／又はバレル１１０は、中心軸「Ｃ１」を有することができる。特定の実施形態では、中心軸Ｃ１は枢動軸Ｐ１を横切って延びている。枢動軸は、開口１０６及び／又はバレル１１０の中心軸とオフセットしていても（離れていても）、及び／又は交差しなくともよい。動軸と中心軸がオフセットしていれば、ハンドル２０のキャビティ２４の内側の連接部材１００の枢動を容易にすることができる。特定の実施形態では、枢動軸Ｐ１は中心軸Ｃ１の下部に位置してもよい。
【００２２】
図６Ａにハンドル２０から取り外したポンプアセンブリ６０の分解図を示す。流体コネクタ１００の合わせ面１２０及び１２２は、ハンドル２０の対応する合わせ面２００及び２０２に係合することができる。例えば、ハンドル２０の対応する合わせ面は、流体コネクタのピン部材１２４及び１２６を収納するように構成されたくぼみを含んでもよい。カラー６４及び／又はフランジ６６は、ハンドル２０の対応する合わせ機構に係合することができる。カラー６４の開口６８を、ハンドル２０によって画定される流体開口２１０と一直線に整列させ、アプリケータ５６との流体接続を確立することができるハンドル２０内にてポンプアセンブリ６０を適切に組み立ててしまえば、流体コネクタ１００の合わせ面１２０及び１２２を、ハンドル２０の対応する合わせ面２００及び２０２に摺動可能に係合して、流体コネクタ１００の枢動を容易にすることができる。例えば、弾性エラストマーチューブ６２に下向きの力をかけて弾性エラストマーチューブ６２を屈曲させ、流体コネクタ１００の合わせ面１２０及び１２２を、ハンドル２０の対応する合わせ面２００及び２０２に摺動可能に係合させることができる。
【００２３】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば「４０ｍｍ」と開示された寸法は「約４０ｍｍ」を意味することを意図している。更に寸法は、典型的な製造の許容誤差による食い違いを考慮しない形而上の同一性のような不可能に高い水準に固執されるべきではない。したがって、用語「約」は典型的な製造の許容誤差の範囲内であることと解釈されるべきである。
【００２４】
任意の相互参照又は関連特許若しくは関連出願を包含する本明細書に引用される全ての文献は、明確に除外ないしは別の方法で限定されない限り、その全てを本明細書中に参照により組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００２５】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１Ａ】
0005778355.tif 000002
【図１Ｂ】
0005778355.tif 000003
【図２】
0005778355.tif 000004
【図３Ａ】
0005778355.tif 000005
【図３Ｂ】
0005778355.tif 000006
【図３Ｃ】
0005778355.tif 000007
【図４Ａ】
0005778355.tif 000008
【図４Ｂ】
0005778355.tif 000009
【図５】
0005778355.tif 000010
【図６Ａ】
0005778355.tif 000011
【図６Ｂ】
0005778355.tif 000012